(57)【要約】      （修正有）【課題】サーバーキャビネット及びそのサーバー装置を提供する。【解決手段】サーバー装置２００は、シャーシ２１０と、マザーボードモジュール５００と、電源モジュール６００と、ストレージアレイモジュール７００と、複数の入出力インタフェースユニット５３０と、を備える。シャーシは、収納空間と、第１の開口と、第２の開口と、を有し、第１の開口と第２の開口は、収納空間の両端に対向に位置する。電源モジュールは、マザーボードモジュールに電気的に接続され、両方とも収納空間に独立して挿抜可能に設けられ、且つ第１の開口からシャーシに差し込まれるか、又はシャーシの外へ抜き取られる。入出力インタフェースユニットは、マザーボードモジュールに設けられ、且つマザーボードモジュールに電気的に接続され、全ての入出力インタフェースユニットは、前記第１の開口に位置する。ストレージアレイモジュールは、収納空間の中に摺動可能に設けられる。【選択図】図２
2014191821.tif 000002
【特許請求の範囲】
【請求項１】
収納空間と、第１の開口と、第２の開口と、を有し、前記第１の開口と前記第２の開口が前記収納空間の両端に対向に位置するシャーシと、
前記収納空間に挿抜可能に設けられ、且つ前記第１の開口から前記シャーシに差し込まれるか、又は前記シャーシの外へ抜き取られるマザーボードモジュールと、
前記第１の開口に位置する電源インタフェースを含み、前記収納空間に挿抜可能に設けられ、前記マザーボードモジュールに電気的に接続され、前記第１の開口から前記シャーシに差し込まれるか、又は前記シャーシの外へ抜き取られる電源モジュールと、
前記マザーボードモジュールに設けられ、且つ前記マザーボードモジュールに電気的に接続され、何れも前記第１の開口に位置する複数の入出力インタフェースユニットと、
を備えるサーバー装置。
【請求項２】
前記シャーシは、
前記収納空間に向かう第１の内壁と、
前記収納空間の内に向かい、前記第１の内壁に対向する第２の内壁と、
前記第１の内壁と前記第２の内壁を接続し、前記収納空間を互いに重なる上層区と下層区に分ける仕切り板と、
前記収納空間に向かう底面と、
前記底面に位置し、前記下層区を互いに並ぶ第１のサブ領域と第２のサブ領域に分ける第１の仕切り体と、
を含み、
前記下層区は、前記底面と前記上層区との間に位置し、前記マザーボードモジュールは、前記下層区の前記第１のサブ領域に位置し、前記電源モジュールは、前記下層区の前記第２のサブ領域に位置する請求項１に記載のサーバー装置。
【請求項３】
前記シャーシは、
前記第１の内壁と前記底面を連結する第２の仕切り体を更に含み、
前記第２の内壁と、前記第２の仕切り体と、前記仕切り板と、前記底面と、ともに前記下層区を定義し、前記第１の仕切り体と、前記第２の仕切り体と、前記仕切り板と、前記底面と、ともに前記第１のサブ領域を定義し、前記第２の内壁と、前記第１の仕切り体と、前記仕切り板と、前記底面と、ともに前記第２のサブ領域を定義する請求項２に記載のサーバー装置。
【請求項４】
前記マザーボードモジュールは、
マザーボードと、
前記マザーボードに位置する複数の電子素子と、
前記第１のサブ領域の中に摺動可能に位置し、前記マザーボードを支持する第１のトレイと、
を含む請求項３に記載のサーバー装置。
【請求項５】
前記マザーボードモジュールは、少なくとも１つの第１の工具不要な接続コネクタを含み、前記シャーシは、前記収納空間に固設され、少なくとも１つの第３の工具不要な接続コネクタを有する第１の電気アダプタープレートを更に含み、
前記マザーボードモジュールが前記第１の開口から前記シャーシに差し込まれた場合、前記第１の工具不要な接続コネクタは、前記第３の工具不要な接続コネクタに挿抜可能に電気的に接続される請求項１に記載のサーバー装置。
【請求項６】
前記電源モジュールは、少なくとも１つの第２の工具不要な接続コネクタを更に含み、前記シャーシは、前記シャーシの前記収納空間に固設され、前記第１の電気アダプタープレートに電気的に接続され、少なくとも１つの第４の工具不要な接続コネクタを有する第２の電気アダプタープレートを更に含み、
前記電源モジュールが前記第１の開口から前記シャーシに差し込まれた場合、前記第２の工具不要な接続コネクタは、前記第４の工具不要な接続コネクタに挿抜可能に電気的に接続される請求項５に記載のサーバー装置。
【請求項７】
前記サーバー装置は、
前記収納空間の前記上層区の中に摺動可能に設けられ、前記第１の開口を通して前記シャーシから引き出されるストレージアレイモジュールを更に備える請求項２に記載のサーバー装置。
【請求項８】
それぞれ前記入出力インタフェースユニットに挿着され、且つ何れも前記第１の開口から前記シャーシの外へ突き出る複数の信号伝送線
を更に備える請求項１に記載のサーバー装置。
【請求項９】
キャビネットと、
それぞれ互いに重なって前記キャビネットに位置する複数の請求項１〜８のいずれか一項に記載のサーバー装置と、
を備えるサーバーキャビネット。
【発明の詳細な説明】
【技術分野】
【０００１】
本発明は、サーバー装置に関し、特に、シャーシの前方で修理又は交換ができるサーバー装置に関する。
【背景技術】
【０００２】
現在、業界に提供されるサーバーキャビネットには、複数の引き出し可能なサーバー装置が内蔵する。業者は、サーバー装置に対して修理又は交換をする場合、サーバー装置から関連する作業部品を取り出すために、サーバーキャビネットの後方に回り、又は、ひいてはサーバーキャビネットの筐体を取り外してから、ようやくサーバー装置の後方から関連線材を取り外すことができる。
【０００３】
しかしながら、サーバー装置の修理サービスは、いつも迅速に対応し、報告して問題を解決するという要求に重点をおくため、いかに速くキャビネットからサーバー装置を引き出したりサーバーの筐体を取り外したりすることができたとしても、依然として時間をかけてサーバー装置での関連線材を取り外す必要があり、時間とコストが必要なだけでなく、取付／取り外し過程における不便も存在する。
【発明の概要】
【発明が解決しようとする課題】
【０００４】
このために、上記の要求を解決して、業者が競争において頭角を現すことがができるようなソリューション設計の提供は、解決が望まれる重要な課題となる。
【課題を解決するための手段】
【０００５】
本発明の一技術態様は、サーバー装置の修理又は交換を行いやすくし、サーバー装置においてマシンを操作し、部品を交換し、対象物品を抽出し、ひいては線材を取り外す際の利便性を向上させ、更に必要な時間とコストを削減することができるサーバーキャビネット及びそのサーバー装置を提供することにある。
【０００６】
本発明の一実施形態によると、サーバー装置は、シャーシと、マザーボードモジュールと、電源モジュールと、ストレージアレイモジュールと、複数の入出力インタフェースユニットと、を備える。シャーシは、収納空間と、第１の開口と、第２の開口と、を有し、第１の開口と第２の開口は、収納空間の両端に対向に位置する。マザーボードモジュールは、収納空間に挿抜可能に設けられ、且つ第１の開口からシャーシに差し込まれるか、又はシャーシの外へ抜き取られる。電源モジュールは、収納空間に挿抜可能に設けられ、マザーボードモジュールに電気的に接続され、且つ第１の開口からシャーシに差し込まれるかシャーシの外へ抜き取られる。電源モジュールは、第１の開口に位置する電源インタフェースを含む。入出力インタフェースユニットは、マザーボードモジュールに設けられ、且つマザーボードモジュールに電気的に接続される。全ての入出力インタフェースユニットは、第１の開口に位置する。
【０００７】
本発明の１つ又は複数の実施形態において、シャーシは、第１の内壁と、第２の内壁と、仕切り板と、底面と、第１の仕切り体と、を含む。第１の内壁は、収納空間に向かう。第２の内壁は、収納空間の内に向かい、且つ第１の内壁に対向する。仕切り板は、第１内壁と第２内壁を接続し、収納空間を互いに重なる上層区と下層区に分ける。底面は、収納空間に向かい、ストレージアレイモジュールは、上層区に位置する。下層区は、底面と上層区との間に位置する。第１の仕切り体は、底面に位置し、下層区を互いに並ぶ第１のサブ領域と第２のサブ領域に分ける。マザーボードモジュールは、下層区の第１のサブ領域に位置し、電源モジュールは、下層区の第２のサブ領域に位置する。
【０００８】
本発明の１つ又は複数の実施形態において、シャーシは、第２の仕切り体を更に含む。第２の仕切り体は、第１の内壁と底面を連結する。第２の内壁と、第２の仕切り体と、仕切り板と、底面と、ともに下層区を定義し、第１の仕切り体と、第２の仕切り体と、仕切り板と、底面と、ともに第１のサブ領域を定義し、第２の内壁と、第１の仕切り体と、仕切り板と、底面と、ともに第２のサブ領域を定義する。
【０００９】
本発明の１つ又は複数の実施形態において、マザーボードモジュールは、マザーボードと、複数の電子素子と、第１のトレイと、を含む。電子素子は、マザーボードに位置する。第１のトレイは、第１のサブ領域の中に摺動可能に位置し、マザーボードを支持する。
【００１０】
本発明の１つ又は複数の実施形態において、シャーシは、第１の位置制限部と、第２の位置制限部と、を更に含む。第１の位置制限部は、第１の仕切り体の第１のサブ領域に面する側面に位置する。第２の位置制限部は、第２の仕切り体の第１のサブ領域に面する側面に位置し、第１の位置制限部とともに、第１のトレイが第１のサブ領域の中のみにおいて直線摺動をするように制限する。
【００１１】
本発明の１つ又は複数の実施形態において、仕切り板は、底面へ第２の内壁を連結する位置制限凸リブが突き出る。電源モジュールは、ハウジングと、電源制御盤と、を含む。ハウジングは、第２のサブ領域の中に摺動可能に位置する。電源制御盤は、ハウジングの中に位置する。位置制限凸リブと第１の仕切り体は、ともにハウジングが第２のサブ領域の中のみにおいて直線摺動をするように制限する。
【００１２】
本発明の１つ又は複数の実施形態において、マザーボードモジュールは、少なくとも１つの第１の工具不要な接続コネクタを含む。シャーシは、第１の電気アダプタープレートを更に含み、第１の電気アダプタープレートは、収納空間に固設され、少なくとも１つの第３の工具不要な接続コネクタを有する。マザーボードモジュールが第１の開口からシャーシに差し込まれる場合、第１の工具不要な接続コネクタは、第３の工具不要な接続コネクタに挿抜可能に電気的に接続される。
【００１３】
本発明の１つ又は複数の実施形態において、電源モジュールは、少なくとも１つの第２の工具不要な接続コネクタを更に含む。シャーシは、第２の電気アダプタープレートを更に含む。第２の電気アダプタープレートは、シャーシの収納空間に固設され、第１の電気アダプタープレートに電気的に接続され、少なくとも１つの第４の工具不要な接続コネクタを有する。電源モジュールが第１の開口からシャーシに差し込まれる場合、第２の工具不要な接続コネクタは、第４の工具不要な接続コネクタに挿抜可能に電気的に接続される。
【００１４】
本発明の１つ又は複数の実施形態において、サーバー装置は、ストレージアレイモジュールを更に備える。ストレージアレイモジュールは、収納空間の上層区の中に摺動可能に設けられ、且つ第１の開口からシャーシの外へ引き出されることができる。
【００１５】
本発明の１つ又は複数の実施形態において、シャーシは、第１の外軌と、第２の外軌と、を含む。第１の外軌は、第１の内壁の上層区に面する領域に位置する。第２の外軌は、第２の内壁の上層区に面する領域に位置する。
【００１６】
本発明の１つ又は複数の実施形態において、ストレージアレイモジュールは、２つのストレージアレイと、第２のトレイと、第１の中軌と、第２の中軌と、第１の内軌と、第２の内軌と、を含む。各ストレージアレイは、ストレージアレイ背板と、複数のディスク装置と、を有する。前記ディスク装置は、ストレージアレイ背板に電気的に接続され、且つストレージアレイ背板を通じてマザーボードモジュールに電気的に接続される。第２のトレイの底部は、ストレージアレイを支持し、透かし彫り部を更に有し、前記２つのストレージアレイは、透かし彫り部の両側に仕切られる。第１の中軌は、第１の外軌に摺動可能につながる。第２の中軌は、第２の外軌に摺動可能につながる。第１の内軌は、第２のトレイの一方の外側に位置し、第１の中軌に摺動可能につながる。第２の内軌は、第２のトレイの他方の外側に位置し、第２の中軌に摺動可能につながる。
【００１７】
本発明の１つ又は複数の実施形態において、シャーシは、線材保護チェーンを更に含む。線材保護チェーンは、複数のチェーン単体により直列の方式で互いに枢設してなり、各チェーン単体は、互いにつながって共に線材収納通路を形成する中空部を有する。ストレージアレイモジュールは、複数のリードを含む。前記リードのグループは、線材収納通路を通り、ディスク装置及びマザーボードモジュールに接続される。
【００１８】
本発明の１つ又は複数の実施形態において、サーバー装置は、複数の信号伝送線を更に備える。信号伝送線は、それぞれ入出力インタフェースユニットに挿着され、且つ何れも第１の開口からシャーシの外へ突き出る。
【００１９】
本発明の別の技術態様は、サーバーキャビネットを提供することにある。サーバーキャビネットは、キャビネットと、それぞれ互いに重なってキャビネットに位置する複数の上記サーバー装置と、を備える。
【発明の効果】
【００２０】
このように、本発明のサーバーキャビネット及びそのサーバー装置の設計によって、修理者は、サーバー装置に対して修理又は検査をする前に、サーバーキャビネットの後方に回り、又は、ひいてはサーバーキャビネットを取り外して、後方から関連線材を取り外す必要がなく、距離の近いサーバーキャビネットの前方からサーバー装置に操作、交換、抽出を行い、ひいては線材を取り外して、修理又は検査の時間を短くすることができる。
【図面の簡単な説明】
【００２１】
【図１】本発明のサーバーキャビネットを示す斜視図である。
【図２】抜き取られる状態にある本発明のサーバー装置のマザーボードモジュール及び電源モジュールを示す斜視図である。
【図３】差し込まれる状態にある本発明のサーバー装置之マザーボードモジュール及び電源モジュールを示す斜視図である。
【図４】差し込まれる状態にあり、且つ第１の開口に向かって見たときの本発明のサーバー装置を示す正面図である。
【図５】図４の第１のサブ領域を示す部分拡大図である。
【図６】図４の第２のサブ領域を示す部分拡大図である。
【図７】シャーシの中において互いに電気的に接続する本発明のサーバー装置のマザーボードモジュール及び電源モジュールを示す模式図である。
【図８】引き出される状態にある本発明のサーバー装置のストレージアレイモジュールを示す斜視図である。
【発明を実施するための形態】
【００２２】
以下に図面によって、本発明の精神を明らかに説明し、当業者であれば、本発明の実施例を理解する上で、本発明の教示した技術に基づいて、本発明の精神と範囲から逸脱せずに、変更や修飾を加えることができる。
【００２３】
図１は、本発明のサーバーキャビネットＳＣを示す斜視図である。
【００２４】
図１に示すように、本発明のサーバーキャビネットＳＣは、キャビネット１００を具備し、キャビネット１００は、複数のサーバー装置２００をその中に設けるために供することができる。具体的には、キャビネット１００は、一側に長形スロットＦを有し、前記サーバー装置２００は、例えば単列の方式で、それぞれ重なって長形スロットＦに固定される。しかしながら、本発明は、これに限定されない。
【００２５】
図２は、抜き取られる状態にある本発明のサーバー装置２００のマザーボードモジュール５００及び電源モジュール６００を示す斜視図である。図３は、差し込まれる状態にある本発明のサーバー装置２００のマザーボードモジュール５００及び電源モジュール６００を示す斜視図である。
【００２６】
本発明の一実施形態において、図２及び図３に示すように、各サーバー装置２００は、シャーシ２１０と、マザーボードモジュール５００と、電源モジュール６００と、複数の入出力インタフェースユニット５３０と、を備える。シャーシ２１０は、矩形を呈し、キャビネット１００の中に固定して取り付けられ（図１）、収納空間２２０と、第１の開口２３０と、第２の開口２４０と、を有する。第１の開口２３０と第２の開口２４０は、収納空間２２０の両端に対向に位置し、且つ収納空間２２０は、第１の開口２３０及び第２の開口２４０によってそれぞれシャーシ２１０の外につながる。マザーボードモジュール５００は、収納空間２２０に独立して挿抜可能に設けられ、第１の開口２３０からＹ軸に沿ってシャーシ２１０に差し込まれるか（図３のように）又はシャーシ２１０の外へ抜き取られる（図２のように）。電源モジュール６００は、収納空間２２０に独立して挿抜可能に設けられ、マザーボードモジュール５００に電気的に接続され、第１の開口２３０からＹ軸に沿ってシャーシ２１０に差し込まれ（図３）又はシャーシ２１０の外へ抜き取られる（図２）。前記入出力インタフェースユニット５３０は、マザーボードモジュール５００に設けられ、且つマザーボードモジュール５００に電気的に接続される。全ての入出力インタフェースユニット５３０は、第１の開口２３０に位置する。例えば、第１の開口２３０からシャーシ２１０の外へ露出するか又は露出しないことで、一部又は全部の入出力インタフェースユニット５３０にそれぞれ挿着される信号伝送線５３１は、何れも第１の開口２３０からシャーシ２１０の外へ突き出る。電源モジュール６００は、第１の開口２３０に位置する電源インタフェース６４０を含む。例えば、第１の開口２３０からシャーシ２１０の外へ露出するか又は露出しないことで、電源インタフェース６４０に挿着される電源線（図示せず）は、第１の開口２３０からシャーシ２１０の外へ突き出る。
【００２７】
このように、上記設計によって、サーバー装置２００に対して修理又は検査をする前に、修理者は、サーバー装置２００の後方又はキャビネット１００（図１）の後方に回り、又は、ひいてはキャビネット１００を取り外して、サーバー装置２００の後方から関連する線材を取り外す必要がなく、容易に距離の近い第１の開口２３０から、サーバー装置に対して操作、交換、抽出を行い、ひいては入出力インタフェースユニット５３０にそれぞれ挿着される信号伝送線５３１及び電源インタフェース６４０に挿着される電源線を取り外すことができて、修理又は検査の時間を短くする。
【００２８】
本発明の一実施形態において、サーバー装置２００は、複数のファンモジュール８００（図３）を更に備える。前記ファンモジュール８００は、第２の開口２４０において完全に並んで、収納空間２２０と第２の開口２４０との間にある空気の流れを速くするために用いられる。しかしながら、ファンモジュール８００は、必ず本発明に存在する必要はない。
【００２９】
図４は、差し込まれ状態にあり、且つ第１の開口２３０に向かって見たときの本発明のサーバー装置２００を示す正面図である。
【００３０】
この実施形態において、マザーボードモジュール５００及び電源モジュール６００は、シャーシ２１０の収納空間２２０に並列に設けられて、シャーシ２１０から別々に抜き取られることができる。
【００３１】
図２及び図４に示すように、より具体的には、シャーシ２１０は、仕切り板２７０と、底面２２７と、互いに対向する第１の内壁２２５及び第２の内壁２２６と、を含む。収納空間２２０は、第１の内壁２２５と第２の内壁２２６との間に介在して、第１の内壁２２５と第２の内壁２２６の両方ともに収納空間２２０に向かせる。仕切り板２７０は、第１の内壁２２５と第２の内壁２２６を接続し、収納空間２２０を互いに重なる上層区２２１と下層区２２２に分ける。底面２２７は、収納空間２２０に向かって、下層区２２２を、底面２２７と上層区２２１との間に位置させる。シャーシ２１０は、第１の仕切り体２８０を更に含む。第１の仕切り体２８０は、底面２２７に設けられ、下層区２２２を互いに並列となる第１サブ領域２２３と第２サブ領域２２４に分ける。マザーボードモジュール５００がシャーシ２１０に差し込まれた場合、マザーボードモジュール５００は、下層区２２２の第１のサブ領域２２３に位置する。電源モジュール６００がシャーシ２１０に差し込まれた場合、電源モジュール６００は、下層区２２２の第２のサブ領域２２４に位置する。
【００３２】
この実施形態において、シャーシ２１０は、第２の仕切り体２９０を更に含む。第２仕切り体２９０は、第１の内壁２２５と底面２２７を接続する。第２の内壁２２６と、第２の仕切り体２９０と、仕切り板２７０と、底面２２７と、ともに下層区２２２を定義する。第１の仕切り体２８０と、第２の仕切り体２９０と、仕切り板２７０と、底面２２７と、ともに第１のサブ領域２２３を定義し、第２の内壁２２６と、第１の仕切り体２８０と、仕切り板２７０と、底面２２７と、ともに第２のサブ領域２２４を定義する。
【００３３】
しかしながら、本発明は、これらに限定されなく、当業者は、実際の必要に応じて、第２仕切り体２９０を用いるかどうか柔軟的に選択すべきである。
【００３４】
また、図２に示すように、マザーボードモジュール５００は、第１のトレイ５５０と、マザーボード５１０と、複数の電子素子５２０と、複数の放熱シート５６０と、を含む。第１のトレイ５５０は、第１のサブ領域２２３の中に摺動可能に位置する。マザーボード５１０は、第１のトレイ５５０により支持される。
【００３５】
例えば、中央制御処理装置、図形制御表示ユニット、ネットワークインターフェースユニット、ハードディスクユニット及び複数のメモリユニット等のような電子素子５２０は、マザーボード５１０に位置し、且つマザーボード５１０に電気的に接続される。放熱シート５６０は、中央制御処理装置に接合される。例えば、ディスプレイポート、ネットワークポート、ＵＳＢポート等である入出力インタフェースユニット５３０は、何れもマザーボード５１０の一端に固設され、マザーボード５１０に電気的に接続され、且つ第１のトレイ５５０の一端から露出する。
【００３６】
注意すべきなのは、このマザーボードモジュール５００において、単一数のノード（ｎｏｄｅ）を含有することのみに限定されるものではなく、実際に、３つ又はより多くの数のノード（ｎｏｄｅ）を含有し、それらのノードを第１のサブ領域２２３の空間に収容してもよい。
【００３７】
また、マザーボードモジュール５００をシャーシ２１０の外へ抜き出しやすくするために、第１のトレイ５５０は、第１のハンドル５５１を更に有する。第１のハンドル５５１は、第１のトレイ５５０の第１のトレイ５５０から露出する一端に位置するため、マザーボードモジュール５００がＹ軸に沿ってシャーシ２１０に差し込まれる場合、第１のハンドル５５１は、シャーシ２１０の外へ露出して、修理者が第１のハンドル５５１をつかむことでマザーボードモジュール５００を連動させることに供する。
【００３８】
図５は、図４の第１のサブ領域２２３を示す部分拡大図である。マザーボードモジュール５００がＹ軸に沿ってシャーシ２１０に差し込まれる場合、第１のトレイ５５０は、底面２２７の上に置かされ、第１の仕切り体２８０と第２の仕切り体２９０との間に当接される。このように、第１のトレイ５５０は、Ｘ軸において変位することができないように制限される。また、シャーシ２１０は、少なくとも１つの第１の位置制限部２８１と、第２の位置制限部２９１と、を更に含む。第１の位置制限部２８１は、第１の仕切り体２８０の第１のサブ領域２２３に面する側面に位置し、第１のサブ領域２２３へ水平に（例えば、Ｘ軸方向において右へ）延びる。第２の位置制限部２９１は、第２の仕切り体２９０の第１のサブ領域２２３に面する側面に位置し、第１のサブ領域２２３へ水平に（例えば、Ｘ軸方向において左へ）延びる。
【００３９】
このように、マザーボードモジュール５００がＹ軸に沿ってシャーシ２１０に差し込まれる場合、第１のトレイ５５０は、底面２２７の上に置かされ、第１の位置制限部２８１は、ちょうど第１のトレイ５５０の一側５５３の上縁に当接し、第２の位置制限部２９１は、ちょうど第１のトレイ５５０の他側５５２の上縁に当接する。このように、第１のトレイ５５０は、第１の位置制限部２８１、第２の位置制限部２９１及び底面２２７により第１のサブ領域２２３の中のみにおいて往復的に直線摺動をすることができるように制限されて、Ｚ軸において変位することができないように制限される。
【００４０】
把握すべきなのは、第１の位置制限部２８１は、単数又は並列に配列する複数であってよく、又は、第１の仕切り体２８０に直接一体成形しても、別に第１の仕切り体２８０に結合してもよい。第２の位置制限部２９１は、単数又は並列に配列する複数であってよく、又は、第２の仕切り体２９０に直接一体成形しても、別に第２の仕切り体２９０に結合してもよい。
【００４１】
図６は、図４の第２のサブ領域２２４を示す部分拡大図である。図２及び図６に示すように、電源モジュール６００は、ハウジング６１０と、電源制御盤６２０（図６）と、電源ファン６５０と、複数の電源関連素子（図示せず）と、を含む。ハウジング６１０は、第２のサブ領域２２４の中に摺動可能に位置する。電源制御盤６２０も、例えば周波数昇降ユニット及びＡＣ−ＤＣコンバータユニット等である前記電源関連素子も、ハウジング６１０の中に位置する。電源制御盤６２０は、前記電源関連素子を制御して、出力する電気量（電圧又は電流）の大きさを制御するために用いられる。電源インタフェース６４０は、ハウジング６１０の一端に位置し、例えば、遮蔽なしにハウジング６１０の外へ露出し、電源制御盤６２０、電源ファン６５０及び電源関連素子に電気的に接続される。電源ファン６５０は、ハウジング６１０の中に位置し、ハウジング６１０の一端から露出し、電源インタフェース６４０とともにハウジング６１０の同じ一端に位置する。電源ファン６５０は、流れている気流を提供して、ハウジング６１０の中の熱エネルギーを放出するために用いられる。
【００４２】
また、電源モジュール６００をシャーシ２１０へ抜き出しやすくするために、ハウジング６１０は、ハウジング６１０の電源インタフェース６４０が露出する一端に位置する第２のハンドル６１１を更に有する。従って、電源モジュール６００がＹ軸に沿ってシャーシ２１０に差し込まれる場合、第２のハンドル６１１は、シャーシ２１０の外へ露出して、修理者が第２のハンドル６１１をつかむことで電源モジュール６００を連動させることに供する。
【００４３】
図６に示すように、仕切り板２７０は、底面２２７（即ち、下に向くＺ軸）へ、第２の内壁２２６を連結する位置制限凸リブ２７１が突き出る。このように、電源モジュール６００がＹ軸に沿ってシャーシ２１０に差し込まれる場合、電源モジュール６００のハウジング６１０は、底面２２７の上に配置され、位置制限凸リブ２７１及び第１仕切り体２８０によりＸ軸において変位することができないように制限され、底面２２７及び仕切り板２７０によりＺ軸において変位することができないように制限される。従って、電源モジュール６００のハウジング６１０は、位置制限凸リブ２７１、第１の仕切り体２８０、底面２２７及び仕切り板２７０により第２のサブ領域２２４に制限されて、第２のサブ領域２２４の中のみにおいてＹ軸に沿って往復的に直線摺動をすることができる。
【００４４】
図７は、シャーシ２１０の中において互いに電気的に接続する本発明のサーバー装置２００のマザーボードモジュール５００及び電源モジュール６００を示す模式図である。図２及び図７に示すように、マザーボードモジュール５００は、少なくとも１つの第１の工具不要な接続コネクタ５４０を含む。第１の工具不要な接続コネクタ５４０は、マザーボード５１０の入出力インタフェースユニット５３０から遠い一端に位置する。電源モジュール６００は、少なくとも１つの第２の工具不要な接続コネクタ６３０を含む。第２の工具不要な接続コネクタ６３０は、ハウジング６１０の電源インタフェース６４０から遠い一端に位置し、且つ電源インタフェース６４０に電気的に接続される。
【００４５】
シャーシ２１０は、第１の電気アダプタープレート３００と、第２の電気アダプタープレート４００と、を更に含む。第１の電気アダプタープレート３００は、収納空間２２０の中に固設され、少なくとも１つの第３の工具不要な接続コネクタ３０１を有する。第２の電気アダプタープレート４００は、前記収納空間２２０に固設され、回路を通じて第１の電気アダプタープレート３００に電気的に接続され、少なくとも１つの第４の工具不要な接続コネクタ４０１を有する。より具体的には、第１の電気アダプタープレート３００は、シャーシ２１０の底面２２７に固設され、第１のサブ領域２２３の中に位置し、且つその第３の工具不要な接続コネクタ３０１は、第１の開口２３０に向かって、マザーボードモジュール５００の第１の工具不要な接続コネクタ５４０を受けることに供する。第２の電気アダプタープレート４００は、シャーシ２１０の底面２２７に固設され、第２のサブ領域２２４の中に位置し、且つその第４の工具不要な接続コネクタ４０１は、第１の開口２３０に向かって、電源モジュール６００の第２の工具不要な接続コネクタ６３０を受けることに供する。
【００４６】
図７に示すように、マザーボードモジュール５００がＹ軸に沿ってシャーシ２１０の中に差し込まれる場合、第１の工具不要な接続コネクタ５４０は、第３の工具不要な接続コネクタ３０１に挿抜可能に電気的に接続されることで、マザーボードモジュール５００は、第１の電気アダプタープレート３００に電気的に接続される。電源モジュール６００がＹ軸に沿ってシャーシ２１０の中に差し込まれた場合、第２の工具不要な接続コネクタ６３０は、第４の工具不要な接続コネクタ４０１に挿抜可能に電気的に接続されることで、電源モジュール６００は、第２の電気アダプタープレート４００に電気的に接続され、且つ第１の電気アダプタープレート３００、第２の電気アダプタープレート４００を通じてマザーボードモジュール５００に電気的に接続されて、必要な電源を提供する。また、第２の電気アダプタープレート４００もリード（図示せず）を通じてファンモジュール８００に電気的に接続されて、電源モジュール６００が第２の電気アダプタープレート４００に電気的に接続される際に、ファンモジュール８００が必要な電源を提供する。
【００４７】
図８は、引き出される状態にある本発明のサーバー装置２００のストレージアレイモジュール７００を示す斜視図である。
【００４８】
図４及び図８に示すように、サーバー装置２００は、ストレージアレイモジュール７００を更に備える。ストレージアレイモジュール７００は、収納空間２２０の中に摺動可能に設けられ、第１の開口２３０からシャーシ２１０に押すか又はシャーシ２１０の外へ引き出すことができ、更に、収納空間２２０の上層区２２１の中に摺動可能に設けられる。
【００４９】
例としては、本発明の一実施形態において、図４及び図８に示すように、シャーシ２１０は、第１の外軌２５０と、第２の外軌２６０と、を含む。第１の外軌２５０は、第１の内壁２２５の上層区２２１に面する領域に位置し、第２の外軌２６０は、第２の内壁２２６の上層区２２１に面する領域に位置する。ストレージアレイモジュール７００は、第２のトレイ７３０と、２つのストレージアレイ７１０と、を含む。第２のトレイ７３０は、前記ストレージアレイ７１０を支持する。ストレージアレイモジュール７００は、第１の内軌７３１Ａと、第２の内軌７３２Ａと、第１の中軌７３１Ｂと、第２の中軌７３２Ｂと、を更に有する。第１の内軌７３１Ａと第２の内軌７３２Ａは、それぞれ第２のトレイ７３０の２つの対向する外壁に位置する。第１の中軌７３１Ｂは、それぞれ第１の内軌７３１Ａ及び第１の外軌２５０につながる。第２の中軌７３２Ｂは、それぞれ第２の内軌７３２Ａ及び第２の外軌２６０につながる。
【００５０】
このように、第１の内軌７３１Ａが第１の中軌７３１Ｂにつながり、第１の中軌７３１Ｂが第１の外軌２５０につながり、第２の内軌７３２Ａが第２の中軌７３２Ｂにつながり、第２の中軌７３２Ｂが第２の外軌２６０につながることで、第２のトレイ７３０は、収納空間２２０において往復的に摺動することができる。
【００５１】
また、ストレージアレイモジュール７００をシャーシ２１０の外へ引き出しやすくするために、第２のトレイ７３０は、第３のハンドル７３５を更に有する。第３のハンドル７３５は、第２のトレイ７３０の一端に位置する。従って、ストレージアレイモジュール７００がシャーシ２１０の中に押された場合、第３のハンドル７３５は、第１の開口２３０からシャーシ２１０の外へ露出して、修理者が第３のハンドル７３５をつかむことでストレージアレイモジュール７００を連動させることに供する。
【００５２】
図２及び図８に示すように、各ストレージアレイ７１０は、ストレージアレイ背板７２０と、複数のディスク装置７１１と、を有し、前記ディスク装置７１１は、アレイの配列方式（即ち、３Ｘ４、図８に示す通り）により第２のトレイ７３０に畳んで設けられ、更には、各ディスク装置７１１は、ディスク７１２と、ディスク溝７１３と、を有し、ディスク７１２は、ディスク溝７１３の中に移動的に挿設され、ディスク溝７１３におけるコネクタ（図示せず）によって、ストレージアレイ背板７２０に電気的に接続される。このように、前記ディスク７１２は、自由に交換されることができる。また、マザーボードモジュール５００は、複数の制御インターフェースカード５７０（例えば、３つ）を更に含み、２つの制御インターフェースカード５７０は、水平の方式でマザーボード５１０の一側に重ね合わせ、第１のサブ領域２２３の空間に収容される。前記複数の制御インターフェースカード５７０は、それぞれマザーボード５１０と、ストレージアレイモジュール７００の前記ストレージアレイ７１０に接続されて、マザーボード５１０と、ストレージアレイモジュール７００の前記ストレージアレイ７１０との信号接続を制御することに用いられる。
【００５３】
また、前記ディスク装置７１１は、ストレージアレイ背板７２０を通じてマザーボードモジュール５００に電気的に接続され、更に、それぞれ少なくとも１つのリード７５０を通じてマザーボードモジュール５００に電気的に接続される。前記リード７５０は、一端がそれぞれ前記ストレージアレイ７１０のストレージアレイ背板７２０に接続され、更にストレージアレイ背板７２０によってディスク装置７１１に電気的に接続され、他端が共に回路を通じて第１電気アダプタープレート３００に電気的に接続され、更に第１の電気アダプタープレート３００によってマザーボードモジュール５００に電気的に接続される。
【００５４】
図２及び図８に示すように、第２のトレイ７３０は、その底部７３３によって前記ストレージアレイ７１０を支持し、第２のトレイ７３０の底部７３３は、少なくとも１つの透かし彫り部７３４を更に有する。第２のトレイ７３０の底部７３３において、２つのストレージアレイ７１０の間に透かし彫り部７３４が設けられて、この２つのストレージアレイ７１０は、透かし彫り部７３４の両側に仕切られる。このように、あるサーバー装置２００がキャビネット１００における高い位置にある場合、第３のハンドル７３５から遠いストレージアレイ７１０におけるいずれかのディスク７１２は、透かし彫り部７３４を通じて第２のトレイ７３０の底部７３３の下方から取り出されることができる。
【００５５】
把握すべきなのは、以上に挙げられるストレージアレイ７１０の数（例えば、２つ）及び透かし彫り部７３４の数（例えば、１つ）は、例示だけであり、本発明を制限するものではなく、当業者は、実際の必要に応じて、適宜な数であるストレージアレイ７１０の実施形態を柔軟的に選択すべきである。
【００５６】
図８に示すように、シャーシ２１０は、線材保護チェーン７４０を更に含む。線材保護チェーン７４０は、一部の上記リード７５０を保護し集めることに用いられる。線材保護チェーン７４０は、複数のチェーン単体７４１により直列式で互いに枢設してなり、各チェーン単体７４１は、互いにつながり、共に線材収納通路を形成する中空部７４２を有する。このように、前記リード７５０は、前記チェーン単体７４１の中空部７４２を通って、線材保護チェーン７４０に集められ保護することができる。
【００５７】
このように、第２のトレイ７３０が第１の開口２３０から引き出されるか又は第１の開口２３０の中に押される場合、線材保護チェーン７４０は、第２のトレイ７３０の運動にしたがって、相応的に連動する。前記チェーン単体７４１同士は、枢転を行って線材保護チェーン７４０を制限空間に合う外形に変形させる。
【００５８】
以上により、本発明のサーバーキャビネット及びそのサーバー装置の設計によって、修理者は、修理又は検査をする前に、別にサーバー装置の後方に回り、又は、ひいてはサーバーキャビネットのハウジングを取り外して、サーバー装置の後方から関連線材を取り外す必要がなく、容易に距離の近い第１の開口から入出力インタフェースユニットの信号伝送線及び電源インタフェースの電源線を取り外して、修理又は検査の時間を短くすることができる。
【符号の説明】
【００５９】
１００  キャビネット
２００  サーバー装置
２１０  シャーシ
２２０  収納空間
２２１  上層区
２２２  下層区
２２３  第１のサブ領域
２２４  第２のサブ領域
２２５  第１の内壁
２２６  第２の内壁
２２７  底面
２３０  第１の開口
２４０  第２の開口
２５０  第１の外軌
２６０  第２の外軌
２７０  仕切り板
２７１  位置制限凸リブ
２８０  第１の仕切り体
２８１  第１の位置制限部
２９０  第２の仕切り体
２９１  第２の位置制限部
３００  第１の電気アダプタープレート
３０１  第３の工具不要な接続コネクタ
４００  第２の電気アダプタープレート
４０１  第４の工具不要な接続コネクタ
５００  マザーボードモジュール
５１０  マザーボード
５２０  電子素子
５３０  入出力インタフェースユニット
５３１  信号伝送線
５４０  第１の工具不要な接続コネクタ
５５０  第１のトレイ
５５１  第１のハンドル
５５２、５５３  第１のトレイの両側
５６０  放熱シート
５７０  制御インターフェースカード
６００  電源モジュール
６１０  ハウジング
６１１  第２のハンドル
６２０  電源制御盤
６３０  第２の工具不要な接続コネクタ
６４０  電源インタフェース
６５０  電源ファン
７００  ストレージアレイモジュール
７１０  ストレージアレイ
７１１  ディスク装置
７１２  ディスク
７１３  ディスク溝
７２０  ストレージアレイ背板
７３０  第２のトレイ
７３１Ａ  第１の内軌
７３１Ｂ  第１の中軌
７３２Ａ  第２の内軌
７３２Ｂ  第２の中軌
７３３  底部
７３４  透かし彫り部
７３５  第３のハンドル
７４０  線材保護チェーン
７４１  チェーン単体
７４２  中空部
７５０  リード
８００  ファンモジュール
Ｘ、Ｙ、Ｚ  軸方向
Ｆ  長形スロット
ＳＣ  サーバーキャビネット
【図１】
2014191821.tif 000003
【図２】
2014191821.tif 000004
【図３】
2014191821.tif 000005
【図４】
2014191821.tif 000006
【図５】
2014191821.tif 000007
【図６】
2014191821.tif 000008
【図７】
2014191821.tif 000009
【図８】
2014191821.tif 000010
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
収納空間と、第１の開口と、第２の開口と、を有し、前記第１の開口と前記第２の開口が前記収納空間の両端に対向に位置するシャーシと、
前記収納空間に独立して挿抜可能に設けられ、且つ前記第１の開口から前記シャーシに差し込まれるか、又は前記シャーシの外へ抜き取られるマザーボードモジュールと、
前記第１の開口に位置する電源インターフェイスを含み、前記収納空間に独立して挿抜可能に設けられ、前記マザーボードモジュールに電気的に接続され、前記第１の開口から前記シャーシに差し込まれるか、又は前記シャーシの外へ抜き取られる電源モジュールと、
前記収納空間に独立して挿抜可能に設けられ、前記マザーボードモジュールに電気的に接続され、前記第１の開口から前記シャーシの外へ抜き取られるストレージアレイモジュールと、
前記マザーボードモジュールに設けられ、且つ前記マザーボードモジュールに電気的に接続され、何れも前記第１の開口に位置する複数の入出力インタフェースユニットと、
前記マザーボードモジュールと電気的に接続され、前記第２の開口の全面に並んで配置される複数のファンモジュールと、
を備えるサーバー装置。
【請求項２】
前記シャーシは、
前記収納空間に向かう第１の内壁と、
前記収納空間の内に向かい、前記第１の内壁に対向する第２の内壁と、
前記第１の内壁と前記第２の内壁を接続し、前記収納空間を互いに重なる上層区と下層区に分ける仕切り板と、
前記収納空間に向かう底面と、
前記底面に位置し、前記下層区を互いに並ぶ第１のサブ領域と第２のサブ領域に分ける第１の仕切り体と、
を含み、
前記下層区は、前記底面と前記上層区との間に位置し、前記マザーボードモジュールは、前記下層区の前記第１のサブ領域に位置し、前記電源モジュールは、前記下層区の前記第２のサブ領域に位置する請求項１に記載のサーバー装置。
【請求項３】
前記シャーシは、
前記第１の内壁と前記底面を連結する第２の仕切り体を更に含み、
前記第２の内壁と、前記第２の仕切り体と、前記仕切り板と、前記底面と、ともに前記下層区を定義し、前記第１の仕切り体と、前記第２の仕切り体と、前記仕切り板と、前記底面と、ともに前記第１のサブ領域を定義し、前記第２の内壁と、前記第１の仕切り体と、前記仕切り板と、前記底面と、ともに前記第２のサブ領域を定義する請求項２に記載のサーバー装置。
【請求項４】
前記マザーボードモジュールは、
マザーボードと、
前記マザーボードに位置する複数の電子素子と、
前記第１のサブ領域の中に摺動可能に位置し、前記マザーボードを支持する第１のトレイと、
を含む請求項３に記載のサーバー装置。
【請求項５】
前記マザーボードモジュールは、少なくとも１つの第１の工具不要な接続コネクタを含み、前記シャーシは、前記収納空間に固設され、少なくとも１つの第３の工具不要な接続コネクタを有する第１の電気アダプタープレートを更に含み、
前記マザーボードモジュールが前記第１の開口から前記シャーシに差し込まれた場合、前記第１の工具不要な接続コネクタは、前記第３の工具不要な接続コネクタに挿抜可能に電気的に接続される請求項１に記載のサーバー装置。
【請求項６】
前記電源モジュールは、少なくとも１つの第２の工具不要な接続コネクタを更に含み、前記シャーシは、前記シャーシの前記収納空間に固設され、前記第１の電気アダプタープレートに電気的に接続され、少なくとも１つの第４の工具不要な接続コネクタを有する第２の電気アダプタープレートを更に含み、
前記電源モジュールが前記第１の開口から前記シャーシに差し込まれた場合、前記第２の工具不要な接続コネクタは、前記第４の工具不要な接続コネクタに挿抜可能に電気的に接続される請求項５に記載のサーバー装置。
【請求項７】
前記ストレージアレイモジュールは、前記収納空間の前記上層区の中に摺動可能に設けられ、前記第１の開口を通して前記シャーシから引き出される請求項２に記載のサーバー装置。
【請求項８】
それぞれ前記入出力インタフェースユニットに挿着され、且つ何れも前記第１の開口から前記シャーシの外へ突き出る複数の信号伝送線
を更に備える請求項１に記載のサーバー装置。
【請求項９】
キャビネットと、
それぞれ互いに重なって前記キャビネットに位置する複数の請求項１〜８のいずれか一項に記載のサーバー装置と、
を備えるサーバーキャビネット。